(57)【特許請求の範囲】
【請求項１】
メインコンデンサを含むストロボ用回路部品が主基板と副基板に実装されたストロボ装置において、
前記メインコンデンサは、長手方向が前記主基板の実装面と略平行となるように配置されるとともに、長手方向の一端に端子を有し、
前記端子は、前記副基板の実装面に設けられた孔に挿通されるとともに、略直角に折り曲げられた状態で前記主基板に実装され、
前記副基板は、前記端子に電気的に導通可能に固着され、前記端子を介して前記主基板と導通するとともに、前記孔が設けられた実装面が前記主基板の実装面に対して略垂直となるように前記主基板の実装面に立設している
ことを特徴とするストロボ装置。
【請求項２】
前記主基板には、ストロボ放電管と、昇圧回路を構成する回路素子と、トリガ回路を構成する回路素子とを含み、電源電池からの給電を受けて一定の発光量で前記ストロボ放電管を発光させる主ストロボ回路の構成部品が実装され、前記副基板には、被写体からのストロボ反射光を測光する測光素子と、この測光素子による測光積分値が所定レベルに達したことに応答して前記ストロボ放電管の発光を停止させるスイッチング素子とを含む調光回路の構成部品が実装されていることを特徴とする請求項１記載のストロボ装置。
【請求項３】
請求項２記載のストロボ装置と、フイルム及びフイルムカートリッジがそれぞれ製造時に組み込まれるフイルム室及びカートリッジ室が一体成形されるとともにシャッタ装置及びフイルム巻止め機構を備えた本体基部と、この本体基部を覆う外装カバーとを有し、
前記ストロボ装置は、前記主基板が前記本体基部と前記外装カバー前面の間に組み込まれ、前記本体基部に設けられたシャッタ羽根の開閉に同期して得られるシンクロ信号を、前記主基板の前記トリガ回路に入力して前記ストロボ放電管を発光させるとともに、前記ストロボ装置の前記副基板の前記調光回路を作動させ、前記副基板に実装された前記測光素子により前記外装カバー前面に設けられた測光窓を通して被写体を反射したストロボ光を測定することを特徴とするレンズ付きフイルムユニット。
【請求項４】
前記シャッタ装置の作動によって前記シャッタ羽根が開かれる際、前記トリガ回路に接続された一対のシンクロ接片の少なくとも一方が前記シャッタ羽根の回動によって変形し、互いの接片が接触することにより、前記シンクロ信号が前記トリガ回路に入力されることを特徴とする請求項３記載のレンズ付きフイルムユニット。
【請求項５】
前記外装カバーの表側には、手動により操作されるツマミ部材が露呈されており、前記主基板に設けられた前記昇圧回路を作動させる電源スイッチのオン／オフ切替えを前記ツマミ部材の操作によって行うことを特徴とする請求項３又は４記載のレンズ付きフイルムユニット。
【請求項６】
オートストロボ装置を内蔵したカメラにおいて、前記オートストロボ装置は、メインコンデンサと、昇圧回路を構成する回路素子と、トリガ回路を構成する回路素子とを含み、電源電池からの給電を受けて一定発光量でストロボ放電管を発光させる主ストロボ回路の構成部品が実装された主基板と、被写体からのストロボ反射光を測光する測光素子による測光積分値が所定レベルに達したことに応答してストロボ放電管の発光を停止させるスイッチング素子を含む調光回路の構成部品が実装された副基板とからなり、
前記メインコンデンサは、長手方向が前記主基板の実装面と略平行となるように配置されるとともに、長手方向の一端に端子を有し、
前記端子は、前記副基板の実装面に設けられた孔に挿通されるとともに、略直角に折り曲げられた状態で前記主基板に実装され、
前記副基板は、前記端子に電気的に導通可能に固着され、前記端子を介して前記主基板と導通するとともに、前記孔が設けられた実装面が前記主基板の実装面に対して略垂直となるように前記主基板の実装面に立設している
ことを特徴とするカメラ。
【請求項７】
前記ストロボ放電管の発光は、シャッタ装置の作動によってシャッタ羽根が開かれる際、前記トリガ回路に接続された一対のシンクロ接片の少なくとも一方が前記シャッタ羽根の回動によって変形し、互いの接片が接触した時に得られるシンクロ信号を、前記トリガ回路に入力することで行われることを特徴とする請求項６記載のカメラ。
【請求項８】
カメラ外面には、手動により操作されるツマミ部材が露呈されており、前記主基板に設けられた前記昇圧回路を作動させる電源スイッチのオン／オフ切替えを前記ツマミ部材の操作によって行うことを特徴とする請求項６又は７記載のカメラ。
【請求項９】
自動調光機能を備えたストロボ装置と、フイルム及びフイルムカートリッジがそれぞれ製造時に組み込まれるフイルム室及びカートリッジ室が一体成形されるとともにシャッタ装置及びフイルム巻き止め機構を備えた本体基部と、この本体基部を覆う外装カバーとを有し、
前記ストロボ装置は、メインコンデンサと、ストロボ放電管と、昇圧回路を構成する回路素子と、トリガ回路を構成する回路素子とを含み、電源電池からの給電を受けて一定の発光量でストロボ放電管を発光させる主ストロボ回路の構成部品が実装された主基板と、被写体からのストロボ反射光を測光する測光素子と、この測光素子による測光積分値が所定レベルに達したことに応答して、ストロボ放電管の発光を停止させるスイッチング素子とを含む調光回路の構成部品が実装され、前記メインコンデンサの端子に電気的に導通可能に固着された副基板とから構成されてなるレンズ付きフイルムユニットの製造方法において、
前記メインコンデンサを長手方向が前記主基板の実装面と略平行となるように配置するとともに、前記メインコンデンサの長手方向の一端に設けられた端子を前記副基板の実装面に設けられた孔に挿通するとともに、前記端子を略直角に折り曲げた状態で前記主基板に実装し、前記副基板を、前記端子に電気的に導通可能に固着し、前記端子を介して前記主基板と導通させるとともに、前記孔が設けられた実装面が前記主基板の実装面に対して略垂直となるように前記主基板の実装面に立設させることにより前記ストロボ装置の組み立てを行い、
このストロボ装置を前記本体基部と前記外装カバーとの間に組み込むことにより、前記外装カバーの表側に設けられた充電操作ツマミの操作によって前記主基板に設けられた電源スイッチのオン／オフ切替えを可能にするとともに、前記主基板に設けられたシンクロ接片を前記本体基部に設けられたシャッタ羽根の開閉に同期してオン／オフする位置に位置決めし、かつ前記副基板に設けられた前記測光素子を測光窓に臨むように位置決めした後、前記カートリッジ室にフイルムカートリッジを装填し、かつ前記フイルム室にはフイルムカートリッジから引き出してロール状にしたフイルムを装填することを特徴とするレンズ付きフイルムユニットの製造方法。
【発明の詳細な説明】
【０００１】
【発明の属する技術分野】
本発明は、ストロボ用回路部品を簡単かつ省スペースに増設できるようにしたストロボ装置並びにこれを用いたレンズ付きフイルムユニット又はカメラ及びレンズ付きフイルムユニットの製造方法に関するものである。
【０００２】
【従来の技術】
予め未露光の写真フイルムが装填され、購入したその場ですぐに写真撮影が可能な１回使用型のレンズ付きフイルムユニットが広く普及している。レンズ付きフイルムユニットには、一般にストロボ装置が内蔵され、夜間や屋内でも撮影が行える。このストロボ装置は、ストロボ用回路部品が１つの基板上にまとめて取り付けられてユニット化されており、機種の異なるレンズ付きフイルムユニットにも基板単位で共通に使用されている。
【０００３】
ところで、レンズ付きフイルムユニットは、その撮影機構が簡単，小型化されており、露出が固定されている。このため、撮影する状況によっては露出不足や露出過多となることがある。このような欠点を解消するために、レンズ付きフイルムユニットに露出調節機能を設けることが検討されている。この場合、カメラに不慣れな者でも気軽に撮影が楽しめるように、露出調節は測光による自動制御で行われるのが望ましい。そこで、露出調節が自動で行えるように、レンズ付きフイルムユニットに測光回路を組み込むことも合わせて検討されている。
【０００４】
測光回路により露出調節を行う例として、近距離でのストロボ撮影時に発生する被写体の白飛びを防止する自動調光ストロボ（オートストロボ）が挙げられる。自動調光ストロボは、被写体からのストロボ反射光を測定して積算し、これが所定レベルに達したときにストロボ光の照射を停止させるものである。
【０００５】
【発明が解決しようとする課題】
ところが、従来のストロボ装置に対して測光機能をもたせるための回路部品を増設するとき、これを１つの基板上に実装しようとすると、回路部品を密集させて取り付けるか、ストロボ基板を大型化する必要がある。回路部品を密集させて取り付ける場合、回路部品の組み付け作業やプリント配線の精度を高くしなければならず、これはコストアップの要因となる。
【０００６】
また、ストロボ基板を大型化させる場合、これに伴ってレンズ付きフイルムユニットが大型化してしまい、コンパクト性を損なってしまうという問題点がある。また、このようなストロボ装置では、測光回路を設けたストロボ装置と、測光回路を設けていないストロボ装置とを別個に製造する必要が生じるとともに、ストロボ装置を基板単位で共通に使用できなくなるという問題点がある。
【０００７】
本発明は、上記問題点を考慮してなされたものであり、汎用性を保ちながらも、簡単かつ省スペースに回路部品を増設することが可能なストロボ装置並びにこれを用いたレンズ付きフイルムユニット又はカメラ及びレンズ付きフイルムユニットの製造方法を提供することを目的とするものである。
【０００８】
【課題を解決するための手段】
上記目的を達成するために、請求項１記載の発明は、メインコンデンサを含むストロボ用回路部品が主基板と副基板に実装されたストロボ装置において、前記メインコンデンサは、長手方向が前記主基板の実装面と略平行となるように配置されるとともに、長手方向の一端に端子を有し、前記端子は、前記副基板の実装面に設けられた孔に挿通されるとともに、略直角に折り曲げられた状態で前記主基板に実装され、前記副基板は、前記端子に電気的に導通可能に固着され、前記端子を介して前記主基板と導通するとともに、前記孔が設けられた実装面が前記主基板の実装面に対して略垂直となるように前記主基板の実装面に立設していることを特徴とするもので、主基板と副基板の電気的な接続を容易にし、主基板の実装面上のデッドスペースが有効利用でき、副基板を省スペースに配置できる。
【００１０】
上記構成で自動調光機能を有するストロボ装置とするには、前記主基板に、ストロボ放電管と、昇圧回路を構成する回路素子と、トリガ回路を構成する回路素子とを含み、電源電池からの給電を受けて一定の発光量で前記ストロボ放電管を発光させる主ストロボ回路の構成部品を実装し、前記副基板には、被写体からのストロボ反射光を測光する測光素子と、この測光素子による測光積分値が所定レベルに達したことに応答して前記ストロボ放電管の発光を停止させるスイッチング素子とを含む調光回路の構成部品を実装すると、調光回路基板の着脱作業が簡単になり、一定発光のストロボ装置とオートストロボ機能付きのストロボ装置に互換性をもたせることができる。
【００１１】
請求項３記載の発明は、請求項２記載のストロボ装置と、フイルム及びフイルムカートリッジがそれぞれ製造時に組み込まれるフイルム室及びカートリッジ室が一体成形されるとともにシャッタ装置及びフイルム巻止め機構を備えた本体基部と、この本体基部を覆う外装カバーとを有し、前記ストロボ装置は、前記主基板が前記本体基部と前記外装カバー前面の間に組み込まれ、前記本体基部に設けられたシャッタ羽根の開閉に同期して得られるシンクロ信号を、前記主基板の前記トリガ回路に入力して前記ストロボ放電管を発光させるとともに、前記ストロボ装置の前記副基板の前記調光回路を作動させ、前記副基板に実装された前記測光素子により前記外装カバー前面に設けられた測光窓を通して被写体を反射したストロボ光を測定することを特徴とするレンズ付きフイルムユニットである。
【００１２】
上記レンズ付きフイルムユニットにおいては、前記シャッタ装置の作動によって前記シャッタ羽根が開かれる際、前記トリガ回路に接続された一対のシンクロ接片の少なくとも一方が前記シャッタ羽根の回動によって変形し、互いの接片が接触することにより、前記シンクロ信号を前記トリガ回路に入力することで、前記シャッタ羽根の全開と同時にストロボを発光させることができる。
【００１３】
また、手動により操作されるツマミ部材を前記外装カバーの表側に露呈させ、前記主基板に設けられた前記昇圧回路を作動させる電源スイッチのオン／オフを切替えるために前記ツマミ部材を操作するようにし、ストロボの充電処理を行うようにする。
【００１４】
請求項６記載の発明は、カメラに内蔵されるオートストロボ装置として、メインコンデンサと、昇圧回路を構成する回路素子と、トリガ回路を構成する回路素子とを含み、一定発光量でストロボ放電管を発光させる主ストロボ回路の構成部品が実装された主基板と、被写体からのストロボ反射光を測光する測光素子による測光積分値が所定レベルに達したことに応答してストロボ放電管の発光を停止させるスイッチング素子を含む調光回路の構成部品が実装された副基板とからなり、前記メインコンデンサは、長手方向が前記主基板の実装面と略平行となるように配置されるとともに、長手方向の一端に端子を有し、前記端子は、前記副基板の実装面に設けられた孔に挿通されるとともに、略直角に折り曲げられた状態で前記主基板に実装され、前記副基板は、前記端子に電気的に導通可能に固着され、前記端子を介して前記主基板と導通するとともに、前記孔が設けられた実装面が前記主基板の実装面に対して略垂直となるように前記主基板の実装面に立設していることを特徴とするものである。
【００１５】
上記カメラにおけるストロボ放電管の発光は、シャッタ装置の作動によってシャッタ羽根が開かれる際、前記トリガ回路に接続された一対のシンクロ接片の少なくとも一方が前記シャッタ羽根の回動によって変形し、互いの接片が接触した時に得られるシンクロ信号を、前記トリガ回路に入力することで行われるようにする。これにより、レンズ付きフイルムユニットのストロボ装置をカメラに兼用することができる。
【００１６】
また、カメラ外面には、手動により操作されるツマミ部材を前記外装カバーの表側に露呈させ、前記主基板に設けられた前記昇圧回路を作動させる電源スイッチのオン／オフを切替えるために前記ツマミ部材を操作することで、ストロボの充電処理を行うようにする。
【００１７】
請求項９記載の発明は、自動調光機能を備えたストロボ装置と、フイルム及びフイルムカートリッジがそれぞれ製造時に組み込まれるフイルム室及びカートリッジ室が一体成形されるとともにシャッタ装置及びフイルム巻き止め機構を備えた本体基部と、この本体基部を覆う外装カバーとを有し、前記ストロボ装置は、メインコンデンサと、ストロボ放電管と、昇圧回路を構成する回路素子と、トリガ回路を構成する回路素子とを含み、電源電池からの給電を受けて一定の発光量でストロボ放電管を発光させる主ストロボ回路の構成部品が実装された主基板と、被写体からのストロボ反射光を測光する測光素子と、この測光素子による測光積分値が所定レベルに達したことに応答して、ストロボ放電管の発光を停止させるスイッチング素子とを含む調光回路の構成部品が実装され、前記メインコンデンサの端子に電気的に導通可能に固着された副基板とから構成されてなるレンズ付きフイルムユニットの製造方法において、前記メインコンデンサを長手方向が前記主基板の実装面と略平行となるように配置するとともに、前記メインコンデンサの長手方向の一端に設けられた端子を前記副基板の実装面に設けられた孔に挿通するとともに、前記端子を略直角に折り曲げた状態で前記主基板に実装し、前記副基板を、前記端子に電気的に導通可能に固着し、前記端子を介して前記主基板と導通させるとともに、前記孔が設けられた実装面が前記主基板の実装面に対して略垂直となるように前記主基板の実装面に立設させることにより前記ストロボ装置の組み立てを行い、このストロボ装置を前記本体基部と前記外装カバーとの間に組み込むことにより、前記外装カバーの表側に設けられた充電操作ツマミの操作によって前記主基板に設けられた電源スイッチのオン／オフ切替えを可能にするとともに、前記主基板に設けられたシンクロ接片を前記本体基部に設けられたシャッタ羽根の開閉に同期してオン／オフする位置に位置決めし、かつ前記副基板に設けられた前記測光素子を測光窓に臨むように位置決めした後、前記カートリッジ室にフイルムカートリッジを装填し、かつ前記フイルム室にはフイルムカートリッジから引き出してロール状にしたフイルムを装填することを特徴とするものである。
【００１８】
【発明の実施の形態】
図１において、レンズ付きフイルムユニット１は、プラスチック製のカメラボディ２の上面に、レリーズボタン３や撮影枚数を表示するカウンタ窓４が設けられている。カメラボディ２には、外装ラベル５が巻き付けられ、前面には撮影レンズ６が露呈されている。ストロボ測光窓７の背面にはストロボ反射光を検出する測光素子が設けられている。撮影レンズ６の上方にはファインダ窓８が形成され、ファインダレンズが露呈されている。また、滑り止め用の突起が形成されたグリップ部９、ストロボ光を発するストロボ発光部１０が設けられている。
【００１９】
ストロボ充電ツマミ１１は、上下にスライド移動が可能で、これを上方にスライド操作したときにストロボ充電が開始される。ストロボ充電が完了すると、内部で発光ダイオードが点灯し、これを充電完了表示窓１２から確認することができる。ストロボ充電が完了していれば、レリーズボタン３を押してシャッタを作動させると、これと同時にストロボ発光部１０が発光してストロボ撮影を行うことができる。
【００２０】
レンズ付きフイルムユニット１には、詳しくは後述するが、ストロボ撮影時に、ストロボ測光窓７に入射するストロボ反射光を測定するオートストロボ機能が設けられている。例えば、近距離でのストロボ撮影時に、ストロボ反射光が強すぎることで発生する被写体の白飛びを防止するために、ストロボ発光量が自動で制御される。
【００２１】
図２に示すように、レンズ付きフイルムユニット１は、前カバー１４と後カバー１５により、撮影機構が設けられた本体基部１６を前後から覆った形態となっている。ストロボユニット１７は、ストロボ用回路部品が基板上に実装されてユニット化されており、本体基部１６に設けられた取り付け突起１８を介して、前カバー１４と本体基部１６の間に組み込まれる。本体基部１６には、その中央に撮影レンズ６が保持されている。本体基部１６には、周知のように、撮影レンズ６の背面に設けられた図３に示すシャッタ羽根１９を蹴飛ばして露光をおこなうシャッタ装置と、巻上げノブ２０の回動操作に伴ってシャッタ羽根を蹴飛ばすための蹴飛ばし力を発生させるシャッタチャージ機構、シャッタ作動後にフイルム１コマ分の巻上げがなされると同時に、巻上げノブ２０をロックするフイルム巻止め機構が設けられている。
【００２２】
本体基部１６は、プラスチックの成形品で構成され、フイルムカートリッジ２１が収められるカートリッジ室２１と、フイルムカートリッジ２１から予め引き出された写真フイルムをロール状にしたフイルムロール２３が収められるフイルム室２４が一体に成形されている。巻上げノブ２０は、その軸上で、フイルムカートリッジ２１に設けられた巻上げスプール２５と係合する。
【００２３】
巻上げノブ２０は、後カバー１５よりその一部が露呈され、撮影を行うたびに回動操作されると、露光されたフイルムコマをフイルムカートリッジ２１に向かって移動させる。また、この回動操作に伴ってシャッタチャージがなされ、次の撮影準備が行われる。
【００２４】
本体基部１６の上部には、天板ユニット２７が取り付けられる。天板ユニット２７は、レリーズボタン３が形成された不透明な樹脂製の天板と、カウンタ窓４が形成された無色透明な樹脂製の天板が組み合わされて構成されている。
【００２５】
シャッタ羽根１９の背後には、撮影開口３０が形成された暗箱が設けられている。この暗箱後部には、撮影開口３０より入射した被写体光の露光範囲を画定するアパーチャが形成されており、ここに対面したフイルムが露光される。復帰バネ３１は、その一端がシャッタ羽根１９に、他端が本体基部１６に係合する。シャッタ羽根１９は、復帰バネ３１により撮影開口３０を覆う閉じ位置に付勢される。シャッタ羽根１９の前面側には、レンズホルダ３２，絞り板３３，撮影レンズ６，レンズ押さえ３４が配置される。
【００２６】
ストロボユニット１７は、ストロボ発光部１０や電池３６を保持する電池接片３７を固着させたストロボ主基板１７ａ上に、シャッタ羽根１９の開放によってオンするシンクロ接片３８や、ストロボ充電ツマミ１１の操作によってオンするストロボ電源スイッチ３９、高圧充電されるメインコンデンサ４０など、各種のストロボ用回路部品が実装されている。
【００２７】
ストロボ発光部１０には、高圧充電されたメインコンデンサ４０の放電によりストロボ光を発するストロボ放電管４１（図６参照）や、ストロボ光を被写体に向けて効率よく照射するためのリフレクタが設けられている。
【００２８】
図４及び図５に示すように、ストロボユニット１７は、ストロボ主基板１７ａとストロボ副基板１７ｂの２つの基板から構成されている。ストロボ副基板１７ｂは、メインコンデンサ４０の一対の端子４０ａに挿通されると、ハンダ付けによって固着される。端子４０ａがストロボ主基板１７ａに取り付けられると、ストロボ副基板１７ｂは、ストロボ主基板１７ａの背面側でほぼ垂直に固着される。ストロボ副基板１７ｂには、切欠４２が形成され、ストロボ主基板１７ａに実装された回路部品と接触しない様にされている。ストロボ主基板１７ａには、前述の回路部品の他に、ストロボ充電の完了時に点灯する発光ダイオード４５、高圧パルスを発振させる発振トランス４６や発振トランジスタ４７などが設けられている。
【００２９】
図６に示すように、ストロボ副基板１７ｂには、測光素子としてフォトトランジスタ４８が実装されたストロボ調光回路４９が設けられている。ストロボ調光回路４９は、メインコンデンサ４０の端子４０ａとストロボ副基板１７ｂとがハンダ付けされることにより、主ストロボ回路５０に対して、メインコンデンサ４０及びストロボ放電管４１と並列に接続される。
【００３０】
ストロボ主基板１７ａに設けられた主ストロボ回路５０は、前述した発振トランジスタ４６と発振トランス４７とで構成されるブロッキング発振回路により、電池３６からの給電を受けて、メインコンデンサ４０及びトリガコンデンサ５１に対して３００Ｖ程度の高圧充電を行う。発振トランス４７と両コンデンサの間には、充電電流の逆流を防止するダイオード５２が設けられている。
【００３１】
ストロボ充電ツマミ１１を上側にスライドさせると、ストロボ電源スイッチ３９がオンされ、充電処理が開始される。充電処理が完了すると、発光ダイオード４５が点灯し、これを充電完了表示窓１１から確認することができる。ストロボ電源スイッチ３９は、ブロッキング発振回路を作動させるとともに、スイッチ投入時以外でのトリガコンデンサ５１の放電を防止する。
【００３２】
メインコンデンサ４０及びトリガコンデンサ５１への充電完了後、ストロボ電源スイッチ３９がオンのままになっていれば、ストロボ撮影を行うことができる。レリーズボタン３の押下によって、シャッタ羽根１９が作動すると、図７に示すように、シャッタ羽根１９の回動により羽根頭部１９ａがシンクロ接片３８をオンさせる。シンクロ接片３８がオンすると、トリガコンデンサ５１が放電し、これによりトリガトランス５３で高電圧のトリガ電圧が発生してストロボ放電管４１が励起される。ストロボ放電管４１が励起されると、メインコンデンサ４０に充電された電荷がストロボ放電管４１を流れ、ストロボ発光が行われる。このように、ストロボ主基板１７ａ上の主ストロボ回路５０は、単独で一定発光のストロボ装置として作用する。
【００３３】
ストロボ調光回路４９には、調光機能を作動させるための電源となる電源コンデンサ５５が設けられている。主ストロボ回路５０は、メインコンデンサ４０及びトリガコンデンサ５１への充電処理と並行して、電源コンデンサ５５に対しても充電処理を行う。電源コンデンサ５５が充電される際、充電電流はツェナーダイオード５６を流れる。
【００３４】
ストロボ放電管４１が励起されて、メインコンデンサ４０が放電されると、電源コンデンサ５５に充電された電荷はストロボ放電管４１を流れ、これに伴いゲートコンデンサ５７が充電される。ゲートコンデンサ５７は、三極伝導サイリスタであるＳＣＲ５８のゲート端子に接続されている。電源コンデンサ５５が放電されると、フォトトランジスタ４８のエミッタ・コレクタ間に電位差が生じるので、この時にフォトトランジスタ４８でストロボ反射光が検出されると、検出光量に応じて光電流が流れ、この光電流が積分コンデンサ５９に充電される。
【００３５】
積分コンデンサ５９が所定電圧まで充電されると、ラッチトランジスタ６０，６１が導通する。これにより、ゲートコンデンサ５７が放電され、この時の放電電流が抵抗６２を流れる。このとき、ＳＣＲ５８には、抵抗６２における電圧降下に相当するゲート・トリガ電圧が入力され、これによってＳＣＲ５８が導通する。
【００３６】
ＳＣＲ５８が導通すると、放電中のメインコンデンサ４０は、ストロボ放電管４１から、ＳＣＲ５８に放電経路を変更する。この瞬間にストロボ発光が停止され、メインコンデンサ４０内の残りの電荷は、ＳＣＲ５８を流れる。チョークコイル６４は、メインコンデンサ４０の放電を僅かに緩やかにして、ＳＣＲ５８に大電流が急激に流れるのを防止する。また、補助コンデンサ６５は、ノイズなどによるラッチトランジスタ６０，６１の誤動作防止用として設けられている。
【００３７】
ストロボ副基板１７ｂには、上記のようなストロボ調光回路４９が設けられている。ストロボ主基板１７ａに設けられた一定発光の主ストロボ回路５０は、ストロボ調光回路４９がメインコンデンサ４０に接続されることにより、バイパス式の自動調光機能を備えたストロボ装置として作用する。
【００３８】
ストロボ用回路部品を、ストロボ主基板１７ａとストロボ副基板１７ｂに実装させることで、自動調光のストロボ装置と、一定発光のストロボ装置を簡単に作り分けることができる。メインコンデンサ４０を除くストロボ用回路部品を組み付けたストロボ主基板１７ａと、調光用回路部品を組み付けたストロボ副基板１７ｂを用意しておき、一定発光のストロボ装置を製造する場合には、主基板１７ａにメインコンデンサ４０を取り付ければよい。また、自動調光のストロボ装置を製造する場合には、メインコンデンサ４０にストロボ副基板１７ｂを取り付けた後、メインコンデンサ４０をストロボ主基板１７ａに接続すればよい。
【００３９】
このように、ストロボユニット１７では、メインコンデンサ４０の着脱作業をするだけで、自動調光のストロボ装置から、一定発光のストロボ装置に変更することができる。また、これとは逆に、一定発光のストロボ装置に自動調光機能を追加させることができる。すなわち、回路の構成部品の共通化による汎用性に加えて、一定発光のストロボ装置と自動調光機能を有するストロボ装置との間で互換性をもたせることができる。
【００４０】
レンズ付きフイルムユニットは、本出願人により、カートリッジごとフイルムが抜き取られた使用済み製品が回収され、修理や部品交換が行われた後、厳正な検査を経て、再び市場に提供するというリサイクル活動が活発に行われている。このような事情から、ストロボ装置を上記のようにユニット化することは、修理や部品交換のための工数を削減でき、需要の高い製品を直ちに市場に提供することが可能となる。
【００４１】
なお、本発明のストロボ装置は、上記実施形態のように、レンズ付きフイルムユニットに内蔵させるのみならず、コンパクトカメラなどのように低価格でフイルム交換が可能な一般的なカメラに内蔵させることも可能である。この場合、カメラ側には、ストロボの充電処理を行うための操作手段をカメラ外面に設けておき、ストロボ電源スイッチのオン・オフが簡単にできるようにする。また、シャッタの作動と同時にストロボ発光が行われるようにトリガ回路を作動させる。
【００４２】
図８は、撮影者によって写真フイルムカートリッジが装填可能な一般的なコンパクトカメラを示すものである。カメラ７０は、撮影機構が組み込まれた本体基部７１を前後から覆う前カバー７２と後カバー７３を備えている。前カバー７２には、撮影レンズ７４を露呈させるレンズ開口７５やストロボ発光部７６を露呈させるストロボ用開口７７、フォトトランジスタ７８によりストロボ反射光を測光するためのストロボ測光窓７９が形成されている。本体基部７１の側面には、電池８０が収納される電池室が設けられており、カメラ底部には電池室蓋８１が取り付けられる。フイルムカートリッジ８２は、本体基部７１に設けられたカートリッジ室８３に収納され、カメラ底部に設けられるカートリッジ室蓋８４をロックすることで装填される。撮影が行われると、露光されたフイルムコマは、フイルム巻き取り室８５に給送される。
【００４３】
図９に示すように、本体基部７１と前カバー７２の間には、ストロボ主基板８６とストロボ副基板８７が組み込まれている。ストロボ主基板８６は、先の実施形態におけるストロボ主基板１７ａ（図４参照）から、ストロボ発光部１０及び電池接片３７、シンクロ接片３８が取り除かれているが、他の回路構成は同一となっている。ストロボ主基板８６に実装されたメインコンデンサ８８は、撮影レンズ７４の下側に配置されている。メインコンデンサ８８の端子８８ａには、ストロボ副基板８７が装着されている。ストロボ副基板８７は、端子８８ａにハンダ付けされることで、ストロボ主基板８６に対してほぼ垂直に固定されている。ストロボ副基板８７には、先の実施形態と同一のストロボ調光回路４９が設けられている。
【００４４】
ストロボ主基板８６には、複数のジャンパー線がハンダ付けされている。これらのジャンパー線は、メインコンデンサ８８の端子８８ａをストロボ発光部７６内のストロボ放電管に接続したり、電池室にまで延びて、電池８０と基板上のストロボ用回路部品とを接続するために設けられている。
【００４５】
ストロボ電源スイッチ８９は、前カバー７２に設けられたストロボ充電ツマミ９０の操作によってオンされる。ストロボ充電ツマミ９０は、前カバー７２上でスライド自在に設けられており、これを下側にスライド操作するとストロボ電源スイッチ８９がオンされ、ストロボの充電処理が開始される。充電処理が行われた後、ストロボ充電ツマミ９０を下側にスライドさせたままにしておけば、ストロボ撮影を行うことができる。シャッタボタン９１が押下げられると、撮影レンズ７４の背面でシャッタ羽根が作動する。カメラ７０には、レンズ付きフイルムユニット１と同様な蹴飛ばし式のシャッタ装置が内蔵されており、シャッタ羽根が全開するとき、本体基部７１内に組み込まれた図示しない一対のシンクロ接片が接触し、シンクロ信号がストロボ主基板８６上のトリガ回路に入力される。シンクロ信号の入力により、トリガ回路で発生した高圧トリガがストロボ放電管に伝わるとストロボ光が照射される。ストロボ光が照射されると、フォトトランジスタ７８により、ストロボ反射光が測光される。これが一定値まで積算されるとストロボ発光が停止され、適正露出でストロボ撮影が行われる。
【００４６】
なお、上記２つの実施形態では、ストロボ発光量を自動制御するオートストロボ機能を備えたものについてのみ述べているが、これに限られることはなく、例えば、副基板上には、被写体輝度を測定する測光素子により、絞り切替えで露出調節を行う測光回路を設けてもよい。
【００４７】
【発明の効果】
以上のように、本発明のストロボ装置によれば、ストロボ用回路部品を主基板と副基板の２つの基板上に実装させるとともに、主基板に実装されるメインコンデンサの端子を利用し、副基板をハンダ付けして固着させたので、ストロボ装置の作り分けや、修理・部品交換を行うための手間が大幅に少なくなる。また、ストロボ装置に互換性をもたせることもでき、コストアップが大幅に抑えられる。また、副基板を主基板に対してほぼ垂直に取り付けることで、主基板に実装された回路部品の奥行き寸法のデッドスペースが有効利用でき、レンズ付きフイルムユニットのコンパクト性を保つことができる。
【００４８】
また、このストロボ装置は、レンズ付きフイルムユニットのみならず、一般のカメラに内蔵させて用いることもできるので、カメラの製造に伴うコストを大幅に削減できる。
【図面の簡単な説明】
【図１】レンズ付きフイルムユニットの外観斜視図である。
【図２】レンズ付きフイルムユニットの分解図である。
【図３】本体基部の分解図である。
【図４】ストロボ装置の背面側分解図である。
【図５】ストロボ装置の背面図である。
【図６】ストロボ装置の回路図である。
【図７】シャッタ羽根作動時の様子を示す平面図である。
【図８】本発明のストロボ装置を内蔵したカメラの分解斜視図である。
【図９】カメラに内蔵されたストロボ装置を表す斜視図である。
【符号の説明】
１  レンズ付きフイルムユニット
１０，７６  ストロボ発光部
１１，９０  ストロボ充電ツマミ
１４，７２  前カバー
１５，７３  後カバー
１６，７１  本体基部
１７ａ，８６  ストロボ主基板
１７ｂ，８７  ストロボ副基板
１９  シャッタ羽根
２２，８２  フイルムカートリッジ
２３，８３  カートリッジ室
２５  フイルムロール
２６  フイルム室
３６，８０  電池
３８  シンクロ接片
３９，８９  ストロボ電源スイッチ
４０，８８  メインコンデンサ
４８，７８  フォトトランジスタ
４９  ストロボ調光回路
５０  主ストロボ回路
７０  カメラ
【図１】
0004105851.tif 000002
【図２】
0004105851.tif 000003
【図３】
0004105851.tif 000004
【図４】
0004105851.tif 000005
【図５】
0004105851.tif 000006
【図６】
0004105851.tif 000007
【図７】
0004105851.tif 000008
【図８】
0004105851.tif 000009
【図９】
0004105851.tif 000010